(57)【特許請求の範囲】
【請求項１】
内部に内壁を設けることにより、前方には塵埃を蓄積する塵埃室が、後方には電気送風機を搭載する電気送風機室が形成され、前記内壁には、前記集塵室から前記電動送風機室への風路となる略円形の開口と、該開口の周縁から前記電動送風機室側に突出する円筒部が形成され、該円筒部の下側には空間が形成された本体を有し、
前記電動送風機には、弾性材料で形成した防振材が前面にまたがり設けられ、該防振材の下側には、該防振材の下面を覆う遮蔽板が設けられ、
前記遮蔽板は、前記防振材より前方に突出しており、前記電動送風機が前記本体に上方から取付けられる際に、前記円筒部の周縁に接することで、前記防振材と前記円筒部の接触を防止し、前記電動送風機が前記本体の取り付け位置に位置するとき、前記円筒部の下部の空間に入り込み、
前記電動送風機は、前記開口縁に該防振材が接触した状態となり、前記電動送風機室に搭載されることを特徴とする電気掃除機。
【請求項２】
前記電動送風機は、合成樹脂により形成されたモーターカバーに覆われ、前記遮蔽板は該モーターカバーと一体に成型されたことを特徴とする請求項１に記載の電気掃除機。
【請求項３】
前記遮蔽板は、前方に向かって幅が狭まる弓形形状であることを特徴とする請求項１又は２のいずれかに記載の電気掃除機。
【請求項４】
前記遮蔽板の先端は、前記防振材の前面と上下に一致するか前方に突出していることを特徴とする請求項１乃至３に記載の電気掃除機。
【発明の詳細な説明】
【技術分野】
【０００１】
本発明は、組み立て性を向上させる電気掃除機の内部構造に関する。
【背景技術】
【０００２】
従来から、電動掃除機の本体の内部には、前側に塵埃を貯める集塵室が形成され、後ろ側に電動送風機室と塵埃を貯める集塵室が形成され、この集塵室と電動送風機室を隔てる壁部が形成され、この壁部には集塵室から電動送風機室へと繋がる風路となる開口部か形成されている。
また、この開口部には、電動送風機室方向に向かって周縁から一体に立ち上がる円筒部が形成されている。
そして、上述した電動送風機室に設けられる電動送風機の前部には、電動送風機の吸引口を囲むように、運転使用時の振動の低減や電動送風機自体を衝撃から保護する目的で、発泡ゴム等の弾性材料で形成したリング形状の防振部材を設けられている。
【０００３】
この防振部材は、電動送風機が電気掃除機本体に搭載された状態では、壁部の開口部に形成された円筒部の周縁に接触し、壁部に形成された開口部を覆うことで、集塵室から電動送風機の吸引口へと、効率よく空気を吸引することができるように構成されている。
そして、このような電動送風機を本体に組み込む方法は、防振部材が取り付けられた電動送風機を本体に形成された搭載位置である電動送風機室に、上方より挿入して本体を構成するケースに組み付ける（例えば、特許文献１参照）。
【先行技術文献】
【特許文献】
【０００４】
【特許文献１】２００２−２５３４４９号公報
【発明の概要】
【発明が解決しようとする課題】
【０００５】
しかしながら、特許文献１に記載の構成の電気掃除機の本体を組み立てる際に、電動送風機が本体ケースの搭載位置に下降する時、防振部材が本体内部を前後に分ける壁部に接触することがある。
特に、組み付け工程の際に、電動送風機を本体上方から押し込む動作で組み付けることから、防振部材の下部は、壁部の開口部に形成された円筒部であって、防振部材と上下の位置関係で接触する部分（円筒部の上部外面や円筒部の下部内面）と強く接触することがある。
【０００６】
この時、電動送風機に取付けられた防振部材が、下部から上方に捲り上げられ、電動送風機から脱落したり、取付け不良が発生したりすることがある。
これにより電気掃除機において、防振部材が脱落した部分から吸気漏れが発生し、所定の吸引力を発生することができなくなるという問題が生じる。
【０００７】
上記の課題を解決する為には、電気掃除機において、内部に内壁を設けることにより、前方には塵埃を蓄積する塵埃室が、後方には電気送風機を搭載する電気送風機室が形成され、この内壁には、集塵室から電動送風機室への風路となる略円形の開口と、この開口の周縁から電動送風機室側に突出する円筒部が形成され、円筒部の下側には空間が形成された本体を有し、電動送風機の前部には、弾性材料で形成した防振材が前面にまたがり設けられ、防振材の下側には、この防振材の下面を覆う遮蔽板が設けられ、遮蔽板は、防振材より前方に突出しており、電動送風機が本体に上方から取付けられる際に、円筒部の周縁に接することで、防振材と円筒部の接触を防止し、電動送風機が本体の取り付け位置に位置するとき、円筒部の下部の空間に入り込み、電動送風機は、開口縁に防振材が接触した状態となり、電動送風機室に搭載されることにより、課題を解決することが可能である。
【課題を解決するための手段】
【０００８】
上記の課題を解決する為には、本体内部に集塵室と電動送風機を搭載する電動送風機室を有する電気掃除機において、電動送風機室に搭載される電動送風機の前部には、外周面と前面にまたがり防振材が設けられ、防振材の下側には、該防振材の下面を覆う遮蔽板が設けられることにより、課題を解決することが可能である。
【発明の効果】
【０００９】
以上のように各部を構成すれば、前部に防振部材を設けた電動送風機を掃除機本体に取付ける際に、電動送風機からの防振部材の脱落を防止することが可能となる。
【図面の簡単な説明】
【００１０】
【図１】本体側面断面図
【図２】本体下ケース斜視図（左上後方からの斜視図）
【図３】モーターカバーの組立状態断面図
【図４】本体上面図
【図５】電動送風機のユニットの組立状態斜視図（右上後方からの斜視図）
【図６】本体背面図
【図７】モーターカバーの斜視図（左下斜め方向から見た図）
【図８】モーターカバーの斜視図（右斜め上方向から見た図）
【図９】円筒部と遮蔽板の関係を示す模式図
【図１０】電気掃除機の全体図
【発明を実施するための形態】
【００１１】
以下、図面を参照して、本発明の実施の形態について説明する。
図１０を参照すると、電気掃除機Ｃは、本体１とホース５１と延長パイプ５２と床用吸引具５３から構成されている。
本体１の前側には、塵埃を本体１に案内する蛇腹状のホース５１がホース差込口に接続されている。このホース５１には、塵埃を本体１に案内する延長パイプ５２と結合部で結合接続されている
そして、延長パイプ５２の先端に形成された接続部には、被清掃面から直接塵埃を吸引する床ブラシ等を有する床用吸引具５３が着脱自在に取り付けられる。
【００１２】
次に、図１〜９を参照して、本体１の構成について説明する。
本体１の外郭は、合成樹脂により形成される下ケース７と上ケース８と蓋体６から成り、本体下ケース７の内部に各部が組み込まれた状態で、本体上ケース８と蓋体６が本体下ケース７を覆うように構成されている。
本体下ケース７には、内壁７ｃを設けて内部を仕切ることにより、前側に吸引した塵埃を集塵する集塵室２が形成され、後ろ側に吸引力を発生させる為の電動送風機３や制御部１１等を搭載する電動送風機室４が形成される。
【００１３】
集塵室２は、前後左右を下ケース７に形成された壁で囲まれており、前側の壁面には塵埃を取り込む為の取り込み口７ｈが開口し、後ろ側の集塵室２と電動送風機室４を隔てる内壁７ｃには、集塵室２で塵埃が取り除かれた空気が電動送風機室４へと流れる風路となる円形の開口部７ｉが形成されている。
尚、集塵室２には、吸引した空気と塵埃を分離し、塵埃を貯める為の除塵部２ａとして、サイクロン部や紙パックを取り付けて使用する。また、集塵室２に対して除塵部２ａを着脱するための開口部７ｋの上部は、蓋体６により開閉自在に覆われている。
【００１４】
次に、集塵室２と電動送風機室４とをつなぐ風路である開口部７ｉの電動送風機室４側の周縁には、電動送風機室４に突出する円筒部７ｊが形成されている。
そして、この円筒部７ｊの下側には、内壁７ｃの一部を後方に突出させることにより、後述する電動送風機３の前部に取付けられる前側防振材９を上方より受けて支持する防振支持体７ａが形成されている。
【００１５】
この防振支持体７ａは、上方からみた場合、左右の端部を残して、前方向に一部弓形に切り欠かれることにより凹部７ｂが形成されている。
これにより、防振支持体７ａの後端壁面７ｎの所定の部分が、円筒部７ｊの周縁７ｍより前側に入り込んだ位置関係となる。つまり、円筒部７ｊの下側と防振支持体７ａに囲まれた、空間が形成される。
【００１６】
次に、電動送風機室４には、電源コード１６ｂを収納するコードリール部１６と、掃除機の各種制御を行う制御部１１と、塵埃を吸引する為の吸引力を発生させる電動送風機３が設けられる。
コードリール部１６は、下ケース７に対して回転自在に軸支された巻取り部１６ａの外周に、電源コード１６ｂ巻回することで、電源コード１６ｂを収納するものであり、下ケース７の底部７ｇに設けられている。
【００１７】
そして、コードリール部１６の上部前側には、後述する電動送風機３の排気風を上方より取り込む排気取込口１６ｃが形成され、上部後ろ側には、取込んだ排気風をコードリール部１６の上方に向かって外部へ排出する排気排出口１６ｄが形成されている。
尚、排気取込口１６ｃは、掃除機を後方より見た場合、中心より左側で、後述する制御部１１と上下に重ならない位置に開口している。
【００１８】
次に、制御部１１は、印刷配線基板１１ａと、この印刷配線基板上に実装された電子部品と、この電子部品と接続されて電子部品から発生する熱を放熱するための放熱板１２から構成される。
この放熱板１２は、印刷配線基板１１ａの面に対して略垂直に設けられ、一辺に対して平行な向きで、一辺側に設けられている、また、先端部分を斜めにカットすることで斜面１２aが形成されている。
これは、後述する基板上カバー５ｃを基板下カバー１１ｂに組み付ける際、基板上カバー５ｃの開口部５ｆに放熱板１２を通す時に、引っかかり難くするためのものである。
【００１９】
そして、制御部１１は、コードリール部１６の上側に位置するように、基板下カバー１１ｂを介して下ケース７に取り付けられる。この時、放熱板１２は、本体の前後方向（つまり、電気掃除機の進行方向）に対して、平行な向きを向いており、掃除機を後方より見た場合、印刷配線基板１１ａの右端に位置する。
また、印刷配線基板１１ａの上側は、後述するモーターカバー５に一体に形成されている基板上カバー５ｃにより覆い、基板下カバーに形成された爪部１１ｃが基板上カバー５ｃに嵌合することで、制御部１１を保護するカバーを構成される。
【００２０】
尚、印刷配線基板１１ａが基板上カバー５ｃに覆われている状態では、放熱板１２は基板上カバー５ｃに形成された開口部５ｆを通して、基板上カバー５ｃ及び基板下カバー１１ｂに覆われた空間の外部に露出している。
この時、放熱板１２は、後述する電動送風機３の右側に位置する。
【００２１】
次に、電動送風機３は、ファン部Ｆとモーター部Ｍとモーターカバー５から構成されており、モーター部の駆動力によりファン部を動作させることで、吸引力を発生させる。
このファン部Ｆは、電動送風機３の前側に位置し、吸引力により空気を吸引する吸引口３ａが、ファン部Ｆの前面、つまり電動送風機３の前面に開口している。
【００２２】
モーターカバー５は、使用時の防音性や難燃性を確保する為のものであり、モーター部Ｍを覆うように設けられている。尚、モーターカバー５は、ファン部Ｆを覆うものであっても良い。
また、モーターカバー５は有底の円筒形状であり、底部に凹部５ａが形成され、下側には上述した基板上カバー５ｃが下側に開口を向けた状態で、合成樹脂により一体成型で形成される。
【００２３】
次に、モーターカバー５の壁面には、モーターカバー５を下ケース７に取り付けた状態で、後方から見て右側の面と左側の面に、それぞれ右開口部５ｄ、左開口部５ｅが形成されている。
この左右開口部５ｄ、５ｅは、開口部３ａから電動送風機３内部に取り込んだ空気を排気するための開口である。
尚、右開口部５ｄは、放熱板１２が臨む開口部５ｆより、前側に位置している。
【００２４】
そして、左開口部５ｅからは、基板上カバー５の側方を通り下方向に延びる筒部５ｇが形成されている。
この筒部５ｇは、コードリール部１６に形成された排気取込口１６ｃと連通することで、基板上カバー５ｃ内部に排気が流入しないように、電動送風機３からの排気をモーターカバー５の左下方向に導き、コードリール１６の内部に電動送風機の排気を送る排気風路を形成する。
【００２５】
また、モーターカバー５の前方に開口する前側開口５ｈには、この開口５ｈの下部周縁から前方に突出した遮蔽板５ｂが形成されている。この遮蔽板５ｂは、外形が曲線形状（弓形）である。
尚、この筒部５ｇも遮蔽板５ｂもモーターカバー５に一体成型されたものである。これにより、モーターカバー５にこれらの機能部品を一体成型してあるので、各部の位置関係を決めることができ、また、部品点数を低減することが可能となる。
【００２６】
このように構成されたモーターカバー５の内部には、まず、凹部５ａに電動送風機３の振動からの振動を抑える後側防振材１０が取り付けられ、この後側防振材１０に、前側開口５ｈから挿入された電動送風機３の後端が嵌合される。
そして、電動送風機３の前部には、その外周面３ｒと前面３ｓにまたがる断面形状がＬ字形であるリング状の前側防振材９が設けられる。
【００２７】
尚、上記のように、モーターカバー５に各部が組み付けられた状態のとき、遮蔽板５ｂの前側先端位置と前側防振材９の前側端位置の関係は、遮蔽板５ｂの先端と前側防振材９の先端が、側方からみて上下に重なっているか、遮蔽板５ｂの先端が前側防振材９の先端より、前方に突出するように構成される。
また、本体搭載時に、遮蔽板５ｂを下から見ると、遮蔽板５ｂが前側防振材９の下側に位置する面９ａの一部を覆った状態となる。
【００２８】
以上のように、各部が搭載された下ケース７の上部を上ケース８で覆い、集塵部２ａを着脱する開口部７ｋを蓋体６で開閉自在に覆うことにより、本体１が構成される。
また、上ケース８の後部には、左右方向に広がる帯状の領域に、複数の開口を形成することにより、電動送風機３の排気を本体１の外部に排出する為の排気口１３が形成されている。尚、この排気口１３は、下ケース７の後部に形成しても良い。
【００２９】
次に、図９を参照して、電動送風機３を下ケース７に組み付ける際の作用及び効果を説明する。図９は、開口部７ｉと遮蔽板５ｂの関係を示す模式図であり、後方より開口部７ｉを見た図である。
まず、制御部１１やコードリール部１６などが設けられた下ケース７に対し、モーターカバー５に覆われ前側防振材９が取付けられた電動送風機３のユニットが、下ケース７の上方より搭載位置に挿入される。
【００３０】
この時、電動送風機３のユニットが、内壁７ｃに形成された円筒部７ｊの上部外面に接触する場合、前側防振材９の下側に位置する遮蔽板５ｂが、円筒部７ｊの外面と接触し、円筒部７ｊと前側防振材９の接触を防ぐことで、前側防振材の捲れを防止する。
次に、電動送風機３のユニットが更に下降すると、円筒部７ｊの内面に電動送風機３のユニットが接触する場合がある。この時、円筒部７ｊの内面と遮蔽板５ｂが、両部の縁と縁で点接触する（図９（ａ））。
つまり、円筒部７ｊの内面の縁と遮蔽板５ｂの縁が、２点で接触することになる（このときの接点をＰとする）。
【００３１】
そして、この状態から更に電動送風機３のユニットを下降させると、円筒部７ｊの開口が円形であり、遮蔽板５ｂの外形が弓形であることから、円筒部７ｊと遮蔽板５ｂの２点の接点Ｐがそれぞれ、近づく方向に動いていく。
つまり、弓形形状の遮蔽板５ｂの先端側に接点が移っていく（図９（ｂ））。
【００３２】
この時、電動送風機３のユニットは、円筒部７ｊと遮蔽板５ｂの２点の接点Ｐが、互いに近づく方向に変化するにつれて、遮蔽板５ｂと円筒部７ｊの上下方向の重なり合いが少なくなる。
つまり、遮蔽板５ｂが円筒部７ｊの縁に押圧されて後方に移動していく。
また、更に電動送風機３のユニットを下降させると、円筒部７ｊと遮蔽板５ｂの接点が１点となり、円筒部７ｊと遮蔽板５ｂは上下に重ならない位置関係となる（図９（ｃ））。
そして、更に電動送風機３のユニットを下降させることで、下ケース７の所定の取り付け位置に、電気送風機３のユニットをスムーズに移動させることができる。
【００３３】
このように、電動送風機３のユニットが下ケース７の取り付け位置に位置するとき、遮蔽板５ｂは、円筒部７ｊの下部に設けられた防振支持体７ａの凹部７ｂに入り込むことで、前側防振材９が、円筒部７ｊの周縁に確実に接触することができる。
尚、凹部７ｂには、電動送風機３を使用する際に発生する負圧により、電動送風機３のユニットが前方に動いても、遮蔽板５ｂが防振支持体７ａの後端壁面７ｎに接触しないように、クリアランスが確保してある。
【００３４】
以上により、遮蔽板５ｂを前側防振材９の下側に設けることにより、前側防振材９と円筒部７ｊの接触を防止し、前側防振材９が電動送風機３のユニットを取付ける際の力により捲れて外れることを防止できる。
また、電動送風機３のユニットを取付ける際に加える下方向の力を、弓形形状の遮蔽板５ｂと円筒部７ｊの縁の形状を利用し、電動送風機３のユニットが後方へ逃げる方向に向きを変えることで、両部材間の引っかかりを抑えて、電気送風機３のユニットを下ケース７の所定の位置に取付けることができる。
【００３５】
特に、遮蔽板５ｂの外形が弓形に構成されていることから、遮蔽板５ｂが円筒部７ｊの周縁に対して、接点を変えながら動く際に引っかかりを少なくすることができる。
尚、遮蔽板５ｂの形状を「弓形」と表現しているが、遮蔽板５ｂの幅が、先端に近づくにしたがって狭まる形状であれば、円弧形状（楕円も含む）や放物線形状でもよい。
尚、遮蔽板５ｂの先端にいたる手前の部分が、直線部分で形成されていても、同様な効果をそうすることが可能である。
【符号の説明】
【００３６】
１  掃除機本体、  ２  集塵室、  ３  電動送風機、４  電動送風機室、５  モーターカバー体、  ５ａ  電動送風機の後側防振材収容凹部、  ５ｂ  遮蔽板、  ５ｃ  制御基板カバー、  ５ｄ  側壁切り欠き孔、  ５ｅ  排気用孔、  ５ｆ  囲い孔、  ６  蓋体、
７  本体下ケース、７ａ  防振材支持体、７ｂ  切り欠き部、  ７ｃ  内壁、  
８  本体上ケース、  ９  電動送風機の前側防振材、１０  電動送風機の後側防振材、  
１１  制御基板、  １２  放熱板、  １２ａ  斜面、  １３  本体排気口、
１６  電源コードリール、１６ａ  電源コード、５１  ホース、  ５２  延長パイプ、  ５３  吸い込み口体
【図１】
0005387179.tif 000002
【図２】
0005387179.tif 000003
【図３】
0005387179.tif 000004
【図４】
0005387179.tif 000005
【図５】
0005387179.tif 000006
【図６】
0005387179.tif 000007
【図７】
0005387179.tif 000008
【図８】
0005387179.tif 000009
【図９】
0005387179.tif 000010
【図１０】
0005387179.tif 000011